(57)【要約】【課題】  ＭＶＡ型液晶表示装置において動画を表示する。【解決手段】  垂直分子配向層の表面に、液晶層中の液晶分子の配向方向を液晶層の面に垂直な方向からわずかに傾斜させる高分子層を形成し、同時に液晶表示装置をオーバードライブ駆動する。【選択図】  図７
2005338199.tif 000002
【特許請求の範囲】
【請求項１】
第１の電極を担持する第１の基板と、
前記第１の基板上に前記第１の電極を覆うように形成された第１の分子配向層と、
第２の電極を担持し前記第１の基板に対向する第２の基板と、
前記第２の基板上に前記第２の電極を覆うように形成された第２の分子配向層と、
前記第１および第２の基板の間に、前記それぞれの分子配向層を介して挟持された液晶層と、
前記第１の基板の外側に配設された第１の光吸収軸を有する第１の偏光素子と、
前記第２の基板の外側に配設された前記第１の光吸収軸に直交する第２の光吸収軸を有する第２の偏光素子と、
前記第１および第２の電極に駆動電圧信号を印加する駆動装置とよりなる液晶表示装置であって、
前記第１および第２の分子配向層は、前記液晶層中の液晶分子を、前記第１および第２の電極間に駆動電圧が印加されていない非駆動状態において前記液晶層の面に対して略垂直な方向に配向させ、
前記第１の電極は液晶分子の傾斜方向が異なる複数の領域を含む画素電極を構成し、
前記液晶分子は前記非駆動状態において、前記複数の領域の各々において、前記液晶パネル中の表示領域の略全面にわたり、前記領域に固有な所定傾斜方向に僅かに傾斜しており、
前記駆動装置は、一の階調の画像表示に引き続き次の階調の画像表示を行う場合、前記次の階調の画像表示の最初のフレームにおいて駆動電圧信号の大きさを、前記次の階調画像表示に対応した所定の駆動信号電圧への電圧変化量よりも大きな電圧変化量となるように設定することを特徴とする液晶表示装置。
【請求項２】
前記第１および第２の分子配向層上には、前記液晶分子を前記所定傾斜方向に傾斜させる高分子層がそれぞれ形成され、前記第１および第２の分子配向層は、前記高分子層を介して前記液晶層に接することを特徴とする請求項１記載の液晶表示装置。
【請求項３】
前記第１および第２の電極上には、前記液晶層中の液晶分子の配向方向を規制する第１および第２の構造物がそれぞれ形成されており、前記第1および第２の構造物による液晶分子の規制方向は、前記高分子層による規制方向に一致することを特徴とする請求項２記載の液晶表示装置。
【請求項４】
前記第１の構造物は、前記第1の電極上に、前記所定傾斜方向に直交する方向に延在するように形成されたカットアウトパターンよりなり、前記第２の構造物は、前記第２の電極上に、前記カットアウトパターンに平行に形成された凸パターンよりなることを特徴とする請求項３記載の液晶表示装置。
【請求項５】
前記第１の構造物は前記第１の分子配向層および第１の高分子層により覆われ、前記第２の構造物は前記第２の分子配向層および第２の高分子層により覆われることを特徴とする請求項３または４記載の液晶表示装置。
【請求項６】
前記第１の電極には、前記所定傾斜方向に延在する複数のカットアウトパターンが、互いに平行に繰り返し形成されていることを特徴とする請求項２記載の液晶表示装置。
【請求項７】
前記第１および第２の高分子層は、液晶骨格を有する光硬化性樹脂組成物を光硬化させて形成した高分子層よりなることを特徴とする請求項２〜６のうち、いずれか一項記載の液晶表示装置。
【請求項８】
前記画素電極は、前記第１の基板上のＴＦＴまたはスイッチング素子に接続された第１の画素電極と、前記活性素子に容量結合した、第２の、浮遊画素電極とよりなることを特徴とする請求項１〜７のうち、いずれか一項記載の液晶表示装置。
【請求項９】
前記制御回路は、前フレームの画素データと現フレームの画素データとから、前記現フレームの駆動電圧信号の大きさを決定することを特徴とする請求項１〜８のうち、いずれか一項記載の液晶表示装置。
【請求項１０】
前記制御回路は、表示画像の階調が第１の状態から第２の状態に変化する場合に、前記第１の状態の最後のフレームの画像データと前記第２の状態の最初の画像データを、それぞれ前記前フレームの画像データおよび現フレームの画像データとして使い、前記現フレームの駆動電圧信号の大きさを決定することを特徴とする請求項９記載の液晶表示装置。
【請求項１１】
前記制御回路は、前記駆動電圧信号の大きさを、前記前フレームの画像データおよび現フレームの画像データを元に、変換表を参照して決定することを特徴とする請求項９または１０記載の液晶表示装置。
【請求項１２】
前記第１の基板上には前記第２の電極が複数個、画素電極として、行列状に配列されており、
前記液晶表示装置の背面側には背面光源装置が配設されており、
前記背面光源装置は前記液晶パネル中の、各々が複数の画素電極を含む複数の領域の一つを、１フレームの期間内に順次照明することを特徴とする請求項１〜１１のうち、いずれか一項記載の液晶表示装置。
【請求項１３】
画像信号および同期信号を含む高周波信号を供給され、これから前記画像信号および同期信号を分離する信号処理回路と、
前記画像信号から駆動電圧信号を形成する駆動回路と、
前記駆動電圧信号により駆動される液晶表示装置とよりなるテレビジョン受像機であって、
前記液晶表示装置は、
第１の電極を担持する第１の基板と、
前記第１の基板上に前記第１の電極を覆うように形成された第１の分子配向層と、
第２の電極を担持し前記第１の基板に対向する第２の基板と、
前記第２の基板上に前記第２の電極を覆うように形成された第２の分子配向層と、
前記第１および第２の基板の間に、前記それぞれの分子配向層を介して挟持された液晶層と、
前記第１の基板の外側に配設された第１の光吸収軸を有する第１の偏光素子と、
前記第２の基板の外側に配設された前記第１の光吸収軸に直交する第２の光吸収軸を有する第２の偏光素子とよりなり、
前記第１および第２の分子配向層は、前記液晶層中の液晶分子を、前記第１および第２の電極間に駆動電圧が印加されていない非駆動状態において前記液晶層の面に対して略垂直な方向に配向させ、
前記第１の電極は液晶分子の傾斜方向が異なる複数の領域を含む画素電極を構成し、
前記液晶分子は前記非駆動状態において、前記複数の領域の各々において、前記液晶パネル中の表示領域の略全面にわたり、前記領域に固有な所定傾斜方向に傾斜しており、
前記駆動回路は、一の階調の画像表示に引き続き次の階調の画像表示を行う場合、前記次の階調の画像表示の最初のフレームにおいて駆動電圧信号の大きさを、前記次の階調画像表示に対応した所定の駆動信号電圧への電圧変化量よりも大きな電圧変化量となるように設定することを特徴とするテレビジョン受像機。
【発明の詳細な説明】
【技術分野】
【０００１】
本発明は一般に液晶表示装置に係り、特に垂直配向モードの液晶表示装置に関する。
【０００２】
液晶表示装置は小型で低消費電力の表示装置として様々な携帯型の情報処理装置、特にラップトップ型のコンピュータや携帯電話機等に広く使われている。一方、液晶表示装置の性能の向上は目覚しく、最近ではデスクトップ型のコンピュータやワークステーションのＣＲＴ表示装置を置き換えることのできる応答速度およびコントラスト比を有する液晶表示装置が実現されている。
【０００３】
さらに、最近では液晶表示装置を大画面テレビや携帯型小型テレビをも含むテレビにおいて画像表示に使う事例が増加している。テレビへの応用では、液晶表示装置は動画を高速に表示できることが要求される。
【０００４】
垂直配向モードの液晶表示装置、特に画素領域ないに液晶分子のチルト方向が異なる複数のドメインを形成した、いわゆるＭＶＡ型の液晶表示装置は、コントラスト比に優れ、広い視野角を提供するため、従来よりコンピュータや携帯電話機等の表示装置として広く使われているが、このようなテレビジョン画像の表示にも使いたい要望が存在する。
【背景技術】
【０００５】
図１（Ａ），（Ｂ）は、本発明の発明者の提案になる、いわゆるＭＶＡ型とよばれる垂直配向型液晶表示装置１０の原理を示す。ただし図１（Ａ）は前記液晶表示装置１０に駆動電圧が印加されていない非駆動状態を、また図１（Ｂ）は前記液晶表示装置１０に駆動電圧が印加された駆動状態を示す。
【０００６】
図１（Ａ）を参照するに、液晶層１２がガラス基板１１Ａおよび１１Ｂの間に挟持されており、前記ガラス基板１１Ａおよび１１Ｂは、前記液晶層１２と共に液晶パネルを形成する。前記ガラス基板１１Ａおよび１１Ｂ上にはそれぞれ図示を省略した分子配向層が形成されており、かかる分子配向層の作用により、前記液晶層１２中の液晶分子は駆動電圧が印加されていない状態では前記液晶層１２に略垂直な方向に配向する。この状態においては、前記液晶表示装置に入射した光ビームは液晶層中において実質的に偏光面が回転されることがなく、従って図１（Ａ）の非駆動状態では、前記液晶パネルの上下にポラライザおよびアナライザを直交ニコル状態で配設した場合、前記ポラライザを通過して液晶層１２に入射した光ビームは、前記アナライザにおいて遮断される。
【０００７】
これに対して図１（Ｂ）の駆動状態では、液晶分子は印加電界の作用によりチルトしており、従って前記液晶層に入射した光ビームにおいては偏光面の回転が生じる。その結果前記ポラライザを通過して前記液晶層１２に入射した光ビームは前記アナライザを通過する。
【０００８】
さらに図１（Ａ），（Ｂ）の液晶表示装置１０においては、非駆動状態から駆動状態への遷移の際に、液晶分子がチルトする方向を規制し、応答速度を向上させるために、前記ガラス基板１１Ａおよび１１Ｂ上に、凸パターン１３Ａ，１３Ｂを、相互に平行に延在するように形成している。
【０００９】
かかる凸パターン１３Ａ．１３Ｂを形成することにより、液晶表示装置１０の応答速度が向上すると同時に、液晶層中に液晶分子のチルトする方向が異なる複数のドメインが形成され、その結果液晶表示装置の視野角が大きく改善される。
【特許文献１】特開２００２−１０７７３０号公報
【特許文献２】特開２００２−３５７８３０号公報
【発明の開示】
【発明が解決しようとする課題】
【００１０】
ＭＶＡ型の液晶表示装置では、非駆動状態において理想的な黒表示が得られ、高いコントラスト比を実現できるばかりでなく、上記のように液晶分子のチルト方向を凸パターン１３Ａ，１３Ｂにより規制しているため優れた応答速度が得られる。一方、このようなＭＶＡ型の液晶表示装置により動画を表示しようとすると、液晶層中における液晶分子の垂直配向状態から水平配向状態への遷移が、最初前記凸パターン１３Ａ，１３Ｂの近傍において開始され、液晶層全体に伝播する機構により生じるため、応答速度が不十分で、表示画像がぼけてしまう問題が生じる。
【００１１】
以下この問題を、図２に示す従来のＭＶＡ型液晶表示装置３０を例に、説明する。
【００１２】
図２を参照するに、液晶表示装置３０はアクティブマトリクス駆動型液晶表示装置であり、多数の薄膜トランジスタ（ＴＦＴ）および前記ＴＦＴに協働する透明画素電極を担持するＴＦＴガラス基板３１Ａと、前記ＴＦＴ基板３１Ａ上に形成され対向電極を担持する対向ガラス基板３１Ｂとよりなり、前記基板３１Ａと３１Ｂとの間には液晶層３１が、シール部材３１Ｃにより封入されている。図示の液晶表示装置では、前記透明画素電極を対応するＴＦＴを介して選択的に駆動することにより、前記液晶層３１中において前記選択された画素電極に対応して、液晶分子の配向を選択的に変化させる。さらに、前記ガラス基板３１Ａおよび３１Ｂの外側には、ポラライザ３１ａおよびアナライザ３１ｂが、直交ニコル状態で配設されている。また前記ガラス基板３１Ａおよび３１Ｂの内側には、図示を省略したが前記液晶層３１に接するように分子配向層が形成され、液晶分子の配向方向を非駆動状態において前記液晶層３１の面に略垂直になるように規制する。
【００１３】
前記液晶層３１としては、メルク社より市販されている負の誘電率異方性を有する液晶を使うことができ、また前記分子配向層としてはＪＳＲ社より提供される垂直配向膜を使用することができる。典型的な例では、前記基板３１Ａおよび３１Ｂは、前記液晶層３１の厚さが約４μｍになるように適当なスペーサを使って組み立てられる。
【００１４】
図３（Ａ）は図２の液晶表示装置３0の断面図を、図３（Ｂ）は前記ＴＦＴガラス基板３１Ａの一部を拡大して示す。
【００１５】
図３（Ａ）を参照するに、ＴＦＴ基板となる前記下側ガラス基板３１Ａ上には図示を省略したＴＦＴ３１Ｔに電気的に接続されて前記画素電極３４が形成されており、前記画素電極３４は垂直分子配向層３５により覆われる。同様に前記上側ガラス基板３１Ｂ上には一様な対向電極３６が形成され、前記対向電極３６は別の分子配向層３７により覆われる。また前記液晶層３３は、前記分子配向層３５および３７に接した状態で、前記基板３１Ａおよび３１Ｂ間に挟持される。
【００１６】
図３（Ｂ）を参照するに、前記ガラス基板３１Ａ上には走査信号を供給される多数のパッド電極３３Ａおよびこれから延在する多数の走査電極３３と、ビデオ信号を供給される多数のパッド電極３２Ａおよびこれから延在する多数の信号電極３２とが、走査電極３３の延在方向と信号電極３２の延在方向とが略直交するように形成されており、前記走査電極３３と前記信号電極３２との交点には、ＴＦＴ３１Ｔが形成されている。さらに、前記基板３１Ａ上には、各々のＴＦＴ３１Ｔに対応して透明画素電極３４が形成されており、各々のＴＦＴ３１Ｔは対応する走査電極３３上の走査信号により選択され、対応する信号電極３２上のビデオ信号により、協働するＩＴＯ等の透明画素電極３４を駆動する。
【００１７】
前記液晶表示装置３０は、前記透明画素電極３４に駆動電圧が印加されない非駆動状態においては液晶分子は前記液晶層３１の面に対して略垂直に配向するため、前記ポラライザ３１ａおよびアナライザ３１ｂの作用により表示は黒となるが、前記透明画素電極３４に駆動電圧が印加された駆動状態では、前記液晶分子は略水平配向となるため白表示が得られる。
【００１８】
図３（Ａ）に示すように、前記画素電極３４中にはカットアウトパターン３４Ａが形成され、前記分子配向層３５は前記カットアウト３４Ａを覆うように形成されている。また前記上部電極３６上には、レジスト膜などの樹脂をパターニングして形成された凸パターン３６Ａが形成されている。前記凸パターン３６Ａは図１（Ａ），（Ｂ）の凸パターン１３Ｂと同様な液晶分子のチルト作用を生じ、また前記カットアウトパターン３４Ａも、局所的な電界分布の変形を生じ、図１（Ａ）,（Ｂ）に示す凸パターン１３Ａと同様な液晶分子のチルト作用を生じる。
【００１９】
図４は、前記基板３１Ａ上に形成される一つの画素電極３４の構成を詳細に示す。
【００２０】
図４を参照するに、前記基板３１Ａ上には前記信号電極３２と走査電極３３とが交差して延在し、前記電極３２と３３との交点に対応して前記ＴＦＴ３１Ｔと、これに協働する画素電極３４とが形成されているのがわかる。また、図４中には、前記走査電極３３に平行に、補助容量電極３４Ｃ（Ｃｓ）が形成されている。
【００２１】
図４中、前記画素電極３４は梨地で示してあるが、前記画素電極３４は領域Ａ，Ｂに区画されており、各々の領域上には、白抜きで示したカットアウトパターン３４Ａが、先に説明した図１（Ａ），（Ｂ）の構成に対応して、互いに平行に延在するように形成されている。
【００２２】
さらに図４には、前記基板３１Ａ上の画素電極３４に加えて、ガラス基板３１Ｂ上に形成された凸パターン３６Ａも示してある。
【００２３】
図５は、図２のＭＶＡ型液晶表示装置３０において駆動信号を供給しない黒状態から、図２中に波形を示す、±２．５Ｖの駆動信号を供給して白状態に遷移する際の透過率の変化を示す。ただし図４中、横軸は時間を、縦軸は透過率を示す。
【００２４】
図５を参照するに、最初の期間Ｔ1においては前記画素電極３４に駆動電圧は印加されておらず、液晶表示装置３０は黒状態にあるが、期間Ｔ2において２．５Ｖの矩形波形を有する駆動電圧が印加され、液晶表示装置３０は白状態に遷移する。その際、各々の矩形波は１フレーム分の持続時間ｔ1を有する。１秒間に６０フレームの画像を表示する場合、１フレームの持続時間ｔ1は１６．７ｍｓとなる。
【００２５】
このようにして前記液晶表示装置３０を駆動した場合、透過率が完全に立ち上がるまでに数フレーム分の時間を要し、従って、この時間内にさらに表示画像の階調が変化したような場合には、表示は画像に全く追従することができない。
【００２６】
また図５より、期間Ｔ2の後、これに続く期間Ｔ3において再び駆動電圧がゼロに戻った場合には、液晶表示装置３０は速やかに黒状態に復帰する。
【００２７】
ところで、このような液晶装置の駆動時に応答速度を向上させるため、従来より駆動開始時あるいは階調変化が生じる最初のフレームにおいて駆動電圧パルスの大きさを一時的に所定値よりも増大させる、いわゆるオーバードライブ技術が公知である。オーバードライブ技術は様々な液晶表示装置において使われているが、図３のＭＶＡ型の液晶表示装置においても適用が可能である。
【００２８】
図６は、図５の実験で使われたのと同じＭＶＡ型液晶表示装置３０において、駆動電圧０Ｖの期間Ｔ1の後、期間Ｔ2の最初のフレームにおける駆動電圧パルスの大きさを＋３．１Ｖに設定し、その後の駆動電圧パルスを±２．５Ｖに設定し、さらに期間Ｔ3において再び駆動電圧を０Ｖに戻した場合の透過率の変化を示す。
【００２９】
図６を参照するに、このように駆動電圧信号にオーバードライブを適用することにより、期間Ｔ2の始まりにおける透過率の立ち上がりは非常に鋭くなるが、その後の数フレームの期間は透過率が振動しており、一定の透過率が得られるまでに時間を要することがわかる。なお、図５、図６の関係は、本発明の発明者が本発明の基礎となる研究において見出したものである。このようなオーバードライブ駆動に伴う透過率の不安定な変化は、オーバードライブ駆動時における液晶層中の液晶分子の配向の不安定性を反映しており、駆動時に凸パターン１３Ａ，１３Ｂあるいは３６Ａ、さらに前記カットアウトパターン３４Ａ近傍における液晶分子のチルトが液晶層全体に順次伝播する構成のＭＶＡ型の液晶表示装置においては深刻な問題となる。例えば、このように数フレームにわたり透過率が変動した場合、動画を表示しようとすると、ゴーストが生じてしまう。
【００３０】
ところで液晶表示装置は、ＣＲＴ表示装置と異なり、各画素において１フレーム分の画像が保持されるため、動画を表示しようとすると、人間の目で見た場合、表示画像に残像およびこれによるすそ引きが生じやすい。このため液晶表示装置において動画を表示しようとする場合、表示画面を複数の領域に分割し、それぞれの領域に対応してバックライトを設け、１フレーム分の表示の間に前記バックライトを次々と切替え、擬似的なス垂直走査を行う技術が使われている。ところが本発明の発明者による、本発明の基礎をなす実験によれば、先のＭＶＡ型液晶表示装置による動画表示の際に前記オーバードライブ駆動を行い、さらにバックライトの切り替えを行った場合、図６のような透過率の振動あるいはゆり戻しに起因して、表示の質がさらに劣化する問題が生じることが発見された。
【課題を解決するための手段】
【００３１】
本発明の一の観点によれば、第１の電極を担持する第１の基板と、前記第１の基板上に前記第１の電極を覆うように形成された第１の分子配向層と、第２の電極を担持し前記第１の基板に対向する第２の基板と、前記第２の基板上に前記第２の電極を覆うように形成された第２の分子配向層と、前記第１および第２の基板の間に、前記それぞれの分子配向層を介して挟持された液晶層と、前記第１の基板の外側に配設された第１の光吸収軸を有する第１の偏光素子と、前記第２の基板の外側に配設された前記第１の光吸収軸に直交する第２の光吸収軸を有する第２の偏光素子と、前記第１および第２の電極に駆動電圧信号を印加する駆動装置とよりなる液晶表示装置であって、前記第１および第２の分子配向層は、前記液晶層中の液晶分子を、前記第１および第２の電極間に駆動電圧が印加されていない非駆動状態において前記液晶層の面に対して略垂直な方向に配向させ、前記第１の電極は液晶分子の傾斜方向が異なる複数の領域を含む画素電極を構成し、前記液晶分子は前記非駆動状態において、前記複数の領域の各々において、前記液晶パネル中の表示領域の略全面にわたり、前記領域に固有な所定傾斜方向に僅かに傾斜しており、前記駆動装置は、一の階調の画像表示に引き続き次の階調の画像表示を行う場合、前記次の階調の画像表示の最初のフレームにおいて駆動電圧信号の大きさを、前記次の階調画像表示に対応した所定の駆動信号電圧への電圧変化量よりも大きな電圧変化量となるように設定することを特徴とする液晶表示装置が提供される。
【００３２】
本発明の他の観点によれば、画像信号および同期信号を含む高周波信号を供給され、これから前記画像信号および同期信号を分離する信号処理回路と、前記画像信号から駆動電圧信号を形成する駆動回路と、前記駆動電圧信号により駆動される液晶表示装置とよりなるテレビジョン受像機であって、前記液晶表示装置は、第１の電極を担持する第１の基板と、前記第１の基板上に前記第１の電極を覆うように形成された第１の分子配向層と、第２の電極を担持し前記第１の基板に対向する第２の基板と、前記第２の基板上に前記第２の電極を覆うように形成された第２の分子配向層と、前記第１および第２の基板の間に、前記それぞれの分子配向層を介して挟持された液晶層と、前記第１の基板の外側に配設された第１の光吸収軸を有する第１の偏光素子と、前記第２の基板の外側に配設された前記第１の光吸収軸に直交する第２の光吸収軸を有する第２の偏光素子とよりなり、前記第１および第２の分子配向層は、前記液晶層中の液晶分子を、前記第１および第２の電極間に駆動電圧が印加されていない非駆動状態において前記液晶層の面に対して略垂直な方向に配向させ、前記第１の電極は液晶分子の傾斜方向が異なる複数の領域を含む画素電極を構成し、前記液晶分子は前記非駆動状態において、前記複数の領域の各々において、前記液晶パネル中の表示領域の略全面にわたり、前記表示領域に固有な所定傾斜方向に僅かに傾斜しており、前記駆動回路は、一の階調の画像表示に引き続き次の階調の画像表示を行う場合、前記次の階調の画像表示の最初のフレームにおいて駆動電圧信号の大きさを、前記次の階調画像表示に対応した所定の駆動信号電圧への電圧変化量よりも大きな電圧変化量となるように設定することを特徴とするテレビジョン受像機が提供される。
【発明の効果】
【００３３】
本発明によれば、いわゆるＭＶＡ型の液晶表示装置において、表示画像の階調変化に対応してオーバードライブ駆動を行う場合に生じることが発見された透過率の振動の問題が、液晶分子を非駆動状態において前記表示領域の略全面わたり、前記表示領域に固有な所定傾斜方向に傾斜させておくことにより、解消される。前記液晶分子を非駆動状態において前記表示領域の略全面わたり、前記表示領域に固有な所定傾斜方向に傾斜（プレチルト）させておくことにより、表示画像の階調が変化した場合、液晶分子の傾斜角がそれぞれの位置で所望の階調に対応した傾斜角に、実質的に同時に変化する。かかる液晶分子の非駆動状態におけるプレチルトは、例えば前記垂直分子配向層上に、液晶骨格を有する光硬化性樹脂組成物を光硬化させて高分子層を形成することにより、容易に実現することができる。さらに前記液晶表示装置の背面に背面光源を設け、前記背面光源により、前記液晶表示装置の異なった領域を順次照明することにより、コントラスト比が高く、視野角が広く、残像やぼけの少ない、優れた動画表示を実現することができる。その際、本発明では従来のＭＶＡ型液晶表示装置で動画を表示する場合に、表示の品質をさらに低下させていたバックライトの点滅制御による擬似垂直走査を組み合わせても表示品質が劣化することがなく、高品質な動画表示が実現される。
【発明を実施するための最良の形態】
【００３４】
図７は、本発明の第１実施例によるＭＶＡ型液晶表示装置４０の構成を示す。
【００３５】
図７を参照するに、液晶表示装置４０はＭＶＡ型の液晶表示パネル５０と、前記液晶表示パネル５０の背後の配設されたバックライト６０と、画像データを供給され、前記画像データに対応した駆動電圧信号により前記液晶表示パネル５０を駆動する駆動回路７０とよりなり、前記バックライト６０と液晶表示パネル５０との間には拡散板６２が設けられている。前記バックライト６０は光源６１Ａ〜６１Ｄとこれに協働する散乱板６０ａ〜６０ｄよりなるが、バックライト６０については後程説明する。
【００３６】
前記バックライト６０より出射した光は前記液晶表示パネル５０により変調され、液晶表示パネル５０の全面側に出射される。
【００３７】
以下この問題を、図２に示す従来のＭＶＡ型液晶表示装置３０を例に、説明する。
【００３８】
図８は、前記液晶表示パネル５０の構成を示す。
【００３９】
図８を参照するに、前記液晶表示パネル５０はアクティブマトリクス駆動型液晶表示装置であり、多数の薄膜トランジスタ（ＴＦＴ）および前記ＴＦＴに協働する透明画素電極を担持するＴＦＴガラス基板５１Ａと、前記ＴＦＴ基板５１Ａ上に形成され対向電極を担持する対向ガラス基板５１Ｂとよりなり、前記基板５１Ａと５１Ｂとの間には液晶層５１が、シール部材５１Ｃにより封入されている。図示の液晶パネルでは、前記透明画素電極を対応するＴＦＴを介して選択的に駆動することにより、前記液晶層５１中において前記選択された画素電極に対応して、液晶分子の配向を選択的に変化させる。さらに、前記ガラス基板５１Ａおよび５１Ｂの外側には、ポラライザ５１ａおよびアナライザ５１ｂが、直交ニコル状態で配設されている。また前記ガラス基板５１Ａおよび５１Ｂの内側には、図示を省略した分子配向層が形成され、液晶分子の配向方向を非駆動状態において前記液晶層５１の面に略垂直になるように規制する。
【００４０】
前記液晶層５１としては、メルク社より市販されている負の誘電率異方性を有する液晶を使うことができ、また前記分子配向層としてはＪＳＲ社より提供される垂直配向膜を使用することができる。典型的な例では、前記基板５１Ａおよび５１Ｂは、前記液晶層５１の厚さが約４μｍになるように適当なスペーサを使って組み立てられる。
【００４１】
図９（Ａ）は図８の液晶表示パネル５0の断面図を、図９（Ｂ）は前記ＴＦＴガラス基板５１Ａの一部を拡大して示す。
【００４２】
図９（Ａ）を参照するに、ＴＦＴ基板となる前記下側ガラス基板５１Ａ上には図示を省略したＴＦＴ５１Ｔに電気的に接続されて前記画素電極３５が行列状に形成されており、前記画素電極５４は垂直分子配向層５５により覆われる。同様に前記上側ガラス基板５１Ｂ上には一様な対向電極５６が形成され、前記対向電極５６は別の分子配向層５７により覆われる。また前記液晶層５１は、前記分子配向層５５および５７に接した状態で、前記基板５１Ａおよび５１Ｂ間に挟持される。
【００４３】
図９（Ｂ）を参照するに、前記ガラス基板５１Ａ上には走査信号を供給される多数のパッド電極５３Ａおよびこれから延在する多数の走査電極５３と、ビデオ信号を供給される多数のパッド電極５２Ａおよびこれから延在する多数の信号電極５２とが、走査電極５３の延在方向と信号電極５２の延在方向とが略直交するように形成されており、前記走査電極５３と前記信号電極５２との交点には、ＴＦＴ５１Ｔが形成されている。さらに、前記基板５１Ａ上には、各々のＴＦＴ５１Ｔに対応して透明画素電極５４が形成されており、各々のＴＦＴ５１Ｔは対応する走査電極５３上の走査信号により選択され、対応する信号電極５２上の駆動電圧信号、すなわちビデオ信号により、協働するＩＴＯ等の透明画素電極５４を駆動する。
【００４４】
前記液晶表示パネル５０は、前記透明画素電極５４に駆動電圧が印加されない非駆動状態においては液晶分子は前記液晶層５１の面に対して略垂直に配向するため、前記ポラライザ５１ａおよびアナライザ５１ｂの作用により表示は黒となるが、前記透明画素電極５４に駆動電圧が印加された駆動状態では、前記液晶分子は略水平配向となるため白表示が得られる。なお後で説明するように、前記分子配向層５５および５６の表面には、前記液晶層３１中の液晶分子を前記液晶層５１の面に対して垂直な方向からややチルトさせる高分子層５５ａおよび５７ａがそれぞれ形成されている。前記高分子層５５ａ，５７ａについては後程説明する。
【００４５】
図８（Ａ）に示すように、前記画素電極５４中にはカットアウトパターン５４Ａが形成され、前記分子配向層５５および高分子層５５ａは前記カットアウト５４Ａを覆うように形成されている。また前記上部電極５６上には、レジスト膜などの樹脂をパターニングして形成された凸パターン５６Ａが形成されている。前記凸パターン５６Ａは図３（Ａ）の凸パターン３６Ａと同様な液晶分子のチルト作用を生じ、また前記カットアウトパターン５４Ａも、局所的な電界分布の変形を生じ、同様な液晶分子のチルト作用を生じる。
【００４６】
図９（Ａ）において、前記ガラス基板５１Ａとポラライザ５１ａとの間、および／または前記ガラス基板５１Ｂとアナライザ５１ｂとの間に一または複数の位相補償膜を介在させてもよい。かかる位相補償膜は、例えば液晶層５１の面内における屈折率ｎｘおよびｎｙが、光波の進行方向への屈折率ｎｚよりも大きい、光学的に１軸性の位相補償膜であってもよい。
【００４７】
図１０は、前記基板５１Ａ上に形成される一つの画素電極５４の構成を詳細に示す。
【００４８】
図１０を参照するに、前記基板５１Ａ上には前記信号電極５２と走査電極５３とが交差して延在し、前記電極５２と５３との交点に対応して前記ＴＦＴ５１Ｔと、これに協働する画素電極５４とが形成されているのがわかる。また、図１０中には、前記走査電極５３に平行に、補助容量電極５４Ｃ（Ｃｓ）が形成されている。
【００４９】
図１０中、前記画素電極５４は梨地で示してあるが、前記画素電極５４は領域Ａ，Ｂに区画されており、各々の領域上には、白抜きで示したカットアウトパターン５４Ａが、先に説明した図４の構成に対応して、互いに平行に延在するように形成されている。
【００５０】
さらに図１０には、前記基板３１Ａ上の画素電極５４に加えて、ガラス基板５１Ｂ上に形成された凸パターン５６Ａも示してある。
【００５１】
次に、先に説明した高分子層５５ａおよび５７ａの形成方法およびその作用を、図１１（Ａ）〜（Ｃ）を参照しながら説明する。
【００５２】
図１１（Ａ）を参照するに、本実施例では液晶分子５１Ｌを含む液晶層５１中に、液晶骨格を有する光硬化性樹脂組成物５１Ｍ、例えば大日本インキ（株）製の液晶性モノアクリレートモノマーＵＣＬ−００１−Ｋ１を、０．１〜３重量％の濃度範囲で導入する。
【００５３】
次に図１１（Ｂ）の工程において前記前記電極５４，５６の間に駆動電圧を印加し、前記液晶分子５１Ｌをチルトさせる。この際、液晶分子５１Ｌのチルト方向は、前記画素電極５４中に形成されたカットアウトパターン５４Ａあるいは前記対向電極５６上に形成された凸パターン５６により決定される。さらに図１１（Ｂ）の工程では、この状態で前記液晶層５１中に紫外光を照射し、前記光硬化性樹脂組成物５１Ｍを硬化させる。
【００５４】
その結果、図１１（Ｃ）に示すように前記垂直配向膜５５の表面には高分子層５５ａが、また前記垂直配向膜５７の表面には高分子層５７ａが、図９（Ａ）に対応して形成されるが、このようにして形成された高分子層５５ａ，５７ａは、図１１（Ｂ）の液晶分子５１Ｌのチルト方向を記憶しており、前記液晶分子５１Ｌを液晶層５１の面に垂直な方向からわずかに前記チルト方向にチルトした状態で保持する。前記高分子層５５ａ，５７ａは分子配向層５５，５７のそれぞれ全面に形成されており、従って前記電極５４，５６間に駆動電圧を印加して前記液晶分子５１Ｌを所望の角度でチルトさせる場合、液晶分子５１Ｌのチルトが同時に速やかに生じ、液晶表示パネル５０の応答速度が大きく向上する。
【００５５】
本実施例では、このように応答速度が向上した液晶表示パネル５０において、表示画像の階調が変化するような場合にさらに応答速度を向上させるため、図１２に示すオーバードライブ駆動を実行する。
【００５６】
図１２は前記液晶表示パネル５０において、図７の駆動回路７０により形成され前記電極５４，５５間に印加される駆動電圧信号波形を示す図である。
【００５７】
図１２を参照するに、駆動電圧信号は中心電圧Ｖｃに対して交互に変化する矩形波形を有し、各々の矩形波の１周期が１フレーム（１６．７ｍＳ）に相当する。
【００５８】
図１２の例では表示画像は期間Ｔ1にわたり第１の階調を保持した後、第２の期間Ｔ2において第２の階調に変化しており、これに対応して前記駆動電圧信号は、前記期間Ｔ1においては前記中心電圧Ｖｃに対して±Ｖ1で変化し、前記期間Ｔ2においては±Ｖ2で変化するが、本実施例では前記階調が変化する瞬間、すなわち期間Ｔ2の最初のフレームにおいて駆動電圧の大きさをＶ0に増大させている。
【００５９】
前記駆動電圧、すなわちオーバードライブ電圧Ｖ0の大きさは、前記第２の期間Ｔ2における駆動電圧信号Ｖ2の値に係数Ａを乗じて、式Ｖ0＝Ａ×Ｖ2で決定されるが、前記係数Ａは前の期間Ｔ1における駆動電圧Ｖ1および現期間Ｔ2における駆動電圧Ｖ2および温度Ｔの関数として決定される。
【００６０】
図１３は、図７の液晶表示装置４０において、前記期間Ｔ1における駆動電圧Ｖ1を０Ｖ、期間Ｔ2における駆動電圧Ｖ2を±２．５Ｖ、オーバードライブ電圧Ｖ0を＋３．１Ｖとして駆動を行った場合、すなわち表示を黒状態から白状態に変化させた場合の、液晶パネルの透過率変化を示す。なお、図１３では期間Ｔ2における１２フレームの後、表示を再び黒表示に戻している。
【００６１】
図１３を参照するに、透過率はかかるオーバードライブを行うことにより、期間Ｔ2の最初のフレームにおいて所定の白状態に変化しており、しかも先に図６で説明した透過率の振動が全く生じていないことがわかる。
【００６２】
図１４は、かかるオーバードライブ駆動を行うための前記駆動回路７０の構成を示す。
【００６３】
図１４を参照するに、駆動回路７０はデータクロック信号ＤＣＬＫ，垂直同期信号Ｖsyn，水平動機信号Ｈsynとともに入力画像データを供給され、表示駆動データを生成する表示駆動データ生成部７１２と、前記表示駆動データを供給され、ゲート制御信号および表示駆動データ、さらにソース制御信号を形成するタイミングコントローラ７１８と、前記走ゲート制御信号を供給され、アナログ走査信号を形成し、これを液晶表示パネル５０の走査電極５３に供給するゲートドライバ７１６と、前記表示駆動データおよびソース制御信号を供給され、アナログビデオ信号を形成し、これを液晶表示装置のデータ電極５２に供給するソースドライバ７１８とよりなり、前記表示駆動データ生成部７１２には、ＲＯＭよりなり前フレームの入力画像データを保持するフレームメモリ７２０と、前記式１における係数Ａを前記電圧Ｖ1と電圧Ｖ2の様々な組み合わせについて保持する変換テーブル７２３と、温度線さ７２４とが協働する。
【００６４】
そこで前記表示駆動データ生成部７１２は、次の、すなわち現フレームの入力画像データを受け入れる際に先のフレームの入力画像データを前記フレームメモリ７２０に保持し、現入力画像データの値と前記フレームメモリ７２０に保持された前フレームの入力画像データ、さらに温度センサ７２４により求められた温度データを使って前記変換テーブル７２３中の対応する係数Ａを検索する。さらに前記表示駆動データ生成部７１２は現フレームの入力画像データに対して前記係数Ａを乗算し、前記表示駆動データを形成する。
【００６５】
このように、本実施例では高分子層５５ａ，５７ａにより液晶分子５１Ｌのチルト方向を規定し、さらにこのような液晶表示装置をオーバードライブ駆動することにより、図１３に示すようなほぼ理想的な透過率変化を実現できるが、液晶表示装置により動画を表示しようとした場合、１フレーム分の画像がその全画面に、１フレームの全期間、すなわち１６．７ｍＳの全期間にわたり表示されるため、人が表示画像を見ると、人間の視覚特性のため、変化する画像が重なってぼけて見えることがある。
【００６６】
このため、本実施例では図７に示す液晶表示パネル５０の背後に配設したバックライト６０を、図１５（Ａ）に示すように複数の領域（ｉ）〜（ｉｖ）に分割し、これらの領域において発光を順次、一つずつ行うことで、図１５（Ｂ）に示すような擬似的な垂直走査を行う。
【００６７】
より具体的に説明すると、前記バックライト６０は液晶表示パネル５０の背後にあって左右に配設された四つの光源６１Ａ〜６１Ｄと、これらに結合した導光板６０Ａ〜６０Ｄを含み、前記光源６１Ｃに結合した導光板６０Ｃには前記領域（ｉ）に対応して散乱板６０ｃが形成されている。同様に、前記光源６１Ａに結合した導光板６０Ａには前記領域（ｉｉ）に対応して散乱板６０ａが、前記光源６１Ｂに結合した導光板６０Ｂには前記領域（ｉｉｉ）に対応して散乱板６０ｂが、さらに前記光源６０Ｄに結合した導光板６０Ｄには前記領域（ｉｖ）に対応して散乱板６０ｄが形成されている。
【００６８】
そこで前記光源６１Ｃを駆動すると前記散乱板６０ｃに対応した領域（ｉ）が発光し、前記光源６１Ａを駆動すると前記散乱板６０ａに対応した領域（ｉｉ）が発光し、さらに前記光源６１Ｂを駆動すると前記散乱板６０ｂに対応した領域（ｉｉｉ）が発光し、さらに光源６１Ｄを駆動すると前記散乱板６０ｄに対応した領域（ｉｖ）が発光する。
【００６９】
そこで、図１５（Ｂ）に示すように本実施例では１フレームの期間内に前記光源６１Ｃ，６１Ａ，６１Ｂ．６１Ｄを順次発光させ、これにより前記領域（ｉ），（ｉｉ），（ｉｉｉ）および（ｉｖ）を順次走査する。
【００７０】
このように本実施例においては、先に説明した構成に加えて前記バックライト６０を点滅することにより、１フレームの期間内に表示画面が擬似的に垂直走査され、人間の視覚に起因する動画のぼけが抑制される。
【００７１】
先にも説明したように、従来のＭＶＡ型液晶表示装置では、このようなバックライトを点滅させる擬似垂直走査を行うと、表示の質がさらに劣化してしまい、このため、従来のＭＶＡ型液晶表示装置では、このようなバックライトの点滅制御による擬似垂直走査は使うことができなかった。これに対し、本発明ではバックライトの点滅制御による擬似垂直走査を組み合わせることで、上にも説明したように人間の視覚に起因する動画のぼけが抑制され、さらに良質な動画表示が実現される。
［第２実施例］
図１６は、図９（Ｂ）の構成において前記画素電極５４の代わりに使われる、本発明の第２実施例による画素電極６４の構成を示す。ただし図１６中、先に説明した部分には同一の参照符号を付し、説明を省略する。
【００７２】
図１６の実施例では、前記画素電極６４には多数の微細なカットアウトパターン６４Ａが形成されており、前記液晶層５１中の液晶分子５１Ｌは、前記電極６４に駆動電圧を印加した場合、前記カットアウトパターン６４Ａを介して隣接する電極指間に形成される局所的な電界の作用で前記カットアウトパターン６４Ａの延在方向に倒される。図示の例では前記画素電極６４にはこのようなカットアウトパターン６４Ａの延在方向が異なる四つの領域Ａ〜Ｄが形成されているのがわかる。また本実施例では先の実施例で基板５１Ｂに形成されていた凸パターン５６Ａは省略されている。
【００７３】
本発明はこのような画素電極６４を使った液晶表示装置においても有効である。
【００７４】
本実施例のその他の構成および特徴は先の実施例と同様であり、説明を省略する。
［第３実施例］
図１７（Ａ），（Ｂ）は、本発明の第３実施例による液晶表示装置８０における画素の構成を示す。ただし図１７（Ａ），（Ｂ）中、先に説明した部分に対応する部分には同一の参照符号を付し、説明を省略する。
【００７５】
図１７（Ａ）を参照するに、本実施例では図一つの画素領域に二つのＩＴＯ画素電極８４Ａおよび８４Ｂが設けられており、図示は省略するが、前記画素電極８４Ａおよび８４Ｂの各々には、先の図１０のカットアウトパターン５４Ａに対応したカットアウトパターンが形成されている。また同じく図示は省略するが、前記基板５１Ｂ上には前記凸パターン５６Ａと同様な構造物が形成されている。
【００７６】
本実施例では前記画素電極８４Ｂは、前記ＴＦＴ５１Ｔから延在する配線パターン８１にビアコンタクト８４ｂにおいて接続され、前記ＴＦＴ５１Ｔにより直接に駆動されるが、前記画素電極８４Ａは、図１７（Ｂ）に示すように前記配線パターン８１と電極パターン８４Ａとの間に形成される容量結合を介して駆動される。すなわち前記画素電極８４Ａは浮遊電極となっている。
【００７７】
図１７（Ｂ）を参照するに、前記配線パターン８１は前記ガラス基板５１Ａ上に形成された走査電極パターン５２を覆う層間絶縁膜７２上に形成されており、ＴＦＴ５１Ｔのソース電極、ドレイン電極を担持する層間絶縁膜８３により覆われている。さらに前記層間絶縁膜８３は、前記画素電極８４を担持する別の層間絶縁膜により覆われている。
【００７８】
本実施例の構成によれば、前記画素電極８４ＡがＴＦＴ５１Ｔと容量結合により結合されているため、ＴＦＴ５１Ｔを駆動した場合、画素電極８４Ａと８４Ｂとで閾値特性が異なり、画素電極８４Ａの方が画素電極８４Ｂよりも遅れて駆動状態となる。
【００７９】
このように、本実施例では閾値特性が異なり、かつ面積比も異なる画素電極８４Ａおよび８４Ｂを設けることにより、広い視野角にわたり優れたカラー表示を実現することができる。
［第４実施例］
図１８は、本発明の第４実施例による液晶表示装置を使ったテレビジョン受像機９０の構成を示す。
【００８０】
図１８を参照するに、テレビ受像機９０はアンテナ９０Ａに接続され、無線信号など、画像信号を含む高周波信号を増幅する高周波増幅器９１と、前記高周波信号中の所望のチャネルを周波数変換して中間周波信号を形成するチューナ部４２と、前記チューナ部４２で形成された中間周波信号を増幅し、それ以外の周波数信号を除去する中間周波増幅器９３と、前記中間周波増幅器９３で増幅された中間周波信号を検波し、画像データを形成する検波器９４を含み、前記検波器９４には、前記液晶表示パネル５０を前記画像データにより駆動する駆動回路７０が接続されている。
【００８１】
かかる構成のテレビジョン受像機９０では、高いコントラスト比で、また広い視野角で、前記アンテナ９０Ａに供給された画像信号を、ゆり戻しを生じることなく表示することが可能である。その際、前記液晶表示装置４０としては、先の図７で説明したもの以外に、その他の実施例で説明したものも同様に使用可能である。
【００８２】
本実施例によれば、大画面のテレビジョン受像機のみならず、携帯電話機のような小画面の無線装置においても、高品質の動画表示が可能になる。
【００８３】
以上、本発明を好ましい実施例について説明したが、本発明はかかる特定の実施例に限定されるものではなく、特許請求の範囲に記載の要旨内において様々な変形・変更が可能である。
【００８４】
（付記１）
第１の電極を担持する第１の基板と、
前記第１の基板上に前記第１の電極を覆うように形成された第１の分子配向層と、
第２の電極を担持し前記第１の基板に対向する第２の基板と、
前記第２の基板上に前記第２の電極を覆うように形成された第２の分子配向層と、
前記第１および第２の基板の間に、前記それぞれの分子配向層を介して挟持された液晶層と、
前記第１の基板の外側に配設された第１の光吸収軸を有する第１の偏光素子と、
前記第２の基板の外側に配設された前記第１の光吸収軸に直交する第２の光吸収軸を有する第２の偏光素子と、
前記第１および第２の電極に駆動電圧信号を印加する駆動装置とよりなる液晶表示装置であって、
前記第１および第２の分子配向層は、前記液晶層中の液晶分子を、前記第１および第２の電極間に駆動電圧が印加されていない非駆動状態において前記液晶層の面に対して略垂直な方向に配向させ、
前記第１の電極は液晶分子の傾斜方向が異なる複数の領域を含む画素電極を構成し、
前記液晶分子は前記非駆動状態において、前記複数の領域の各々において、前記液晶パネル中の表示領域の略全面にわたり、前記領域に固有な所定傾斜方向に傾斜しており、
前記駆動装置は、一の階調の画像表示に引き続き次の階調の画像表示を行う場合、前記次の階調の画像表示の最初のフレームにおいて駆動電圧信号の大きさを、前記次の階調画像表示に対応した所定の駆動信号電圧への電圧変化量よりも大きな電圧変化量となるように設定することを特徴とする液晶表示装置。
【００８５】
（付記２）
前記第１および第２の分子配向層上には、前記液晶分子を前記所定傾斜方向に傾斜させる高分子層がそれぞれ形成され、前記第１および第２の分子配向層は、前記高分子層を介して前記液晶層に接することを特徴とする付記１記載の液晶表示装置。
【００８６】
（付記３）
前記第１および第２の電極上には、前記液晶層中の液晶分子の配向方向を規制する第１および第２の構造物がそれぞれ形成されており、前記第1および第２の構造物による液晶分子の規制方向は、前記高分子層による規制方向に一致することを特徴とする付記２記載の液晶表示装置。
【００８７】
（付記４）
前記第１の構造物は、前記第1の電極上に、前記所定傾斜方向に直交する方向に延在するように形成されたカットアウトパターンよりなり、前記第２の構造物は、前記第２の電極上に、前記カットアウトパターンに平行に形成された凸パターンよりなることを特徴とする付記３記載の液晶表示装置。
【００８８】
（付記５）
前記第１の構造物は前記第１の分子配向層および第１の高分子層により覆われ、前記第２の構造物は前記第２の分子配向層および第２の高分子層により覆われることを特徴とする付記３または４記載の液晶表示装置。
【００８９】
（付記６）
前記第１の電極には、前記所定傾斜方向に延在する複数のカットアウトパターンが、互いに平行に繰り返し形成されていることを特徴とする付記２記載の液晶表示装置。
【００９０】
（付記７）
前記第１および第２の高分子層は、液晶骨格を有する光硬化性樹脂組成物を光硬化させて形成した高分子層よりなることを特徴とする付記２〜６のうち、いずれか一項記載の液晶表示装置。
【００９１】
（付記８）
前記画素電極は、前記第１の基板上のＴＦＴまたはスイッチング素子に接続された第１の画素電極と、前記活性素子に容量結合した、第２の、浮遊画素電極とよりなることを特徴とする付記１〜７のうち、いずれか一項記載の液晶表示装置。
【００９２】
（付記９）
前記制御回路は、前フレームの画素データと現フレームの画素データとから、前記現フレームの駆動電圧信号の大きさを決定することを特徴とする付記１〜８のうち、いずれか一項記載の液晶表示装置。
【００９３】
（付記１０）
前記制御回路は、表示画像の階調が第１の状態から第２の状態に変化する場合に、前記第１の状態の最後のフレームの画像データと前記第２の状態の最初の画像データを、それぞれ前記前フレームの画像データおよび現フレームの画像データとして使い、前記現フレームの駆動電圧信号の大きさを決定することを特徴とする付記９記載の液晶表示装置。
【００９４】
（付記１１）
前記制御回路は、前記駆動電圧信号の大きさを、前記前フレームの画像データおよび現フレームの画像データを元に、変換表を参照して決定することを特徴とする付記９または１０記載の液晶表示装置。
【００９５】
（付記１２）
前記第１の基板上には前記第２の電極が複数個、画素電極として、行列状に配列されており、
前記液晶表示装置の背面側には背面光源装置が配設されており、
前記背面光源装置は前記液晶パネル中の、各々が複数の画素電極を含む複数の領域の一つを、１フレームの期間内に順次照明することを特徴とする請求項１〜１０のうち、いずれか一項記載の液晶表示装置。
【００９６】
（付記１３）
画像信号および同期信号を含む高周波信号を供給され、これから前記画像信号および同期信号を分離する信号処理回路と、
前記画像信号から駆動電圧信号を形成する駆動回路と、
前記駆動電圧信号により駆動される液晶表示装置とよりなるテレビジョン受像機であって、
前記液晶表示装置は、
第１の電極を担持する第１の基板と、
前記第１の基板上に前記第１の電極を覆うように形成された第１の分子配向層と、
第２の電極を担持し前記第１の基板に対向する第２の基板と、
前記第２の基板上に前記第２の電極を覆うように形成された第２の分子配向層と、
前記第１および第２の基板の間に、前記それぞれの分子配向層を介して挟持された液晶層と、
前記第１の基板の外側に配設された第１の光吸収軸を有する第１の偏光素子と、
前記第２の基板の外側に配設された前記第１の光吸収軸に直交する第２の光吸収軸を有する第２の偏光素子とよりなり、
前記第１および第２の分子配向層は、前記液晶層中の液晶分子を、前記第１および第２の電極間に駆動電圧が印加されていない非駆動状態において前記液晶層の面に対して略垂直な方向に配向させ、
前記第１の電極は液晶分子の傾斜方向が異なる複数の領域を含む画素電極を構成し、
前記液晶分子は前記非駆動状態において、前記複数の領域の各々において、前記液晶パネル中の表示領域の略全面にわたり、前記領域に固有な所定傾斜方向に傾斜しており、
前記駆動回路は、一の階調の画像表示に引き続き次の階調の画像表示を行う場合、前記次の階調の画像表示の最初のフレームにおいて駆動電圧信号の大きさを、前記次の階調画像表示に対応した所定の駆動信号電圧への電圧変化量よりも大きな電圧変化量となるように設定することを特徴とするテレビジョン受像機。
【００９７】
（付記１４）
前記第１および第２の分子配向層上には、前記液晶分子を前記所定傾斜方向に傾斜させる第１および第２の高分子層がそれぞれ形成され、前記第１および第２の分子配向層は、前記高分子層を介して前記液晶層に接することを特徴とする付記１２または１３記載のテレビジョン受像機。
【００９８】
（付記１５）
前記第１および第２の電極上には、前記液晶層中の液晶分子の配向方向を規制する第１および第２の構造物がそれぞれ形成されており、前記第1および第２の構造物による液晶分子の規制方向は、前記高分子層による規制方向に一致することを特徴とする請求項１４記載のテレビジョン受像機。
【００９９】
（付記１６）
前記第１の構造物は、前記第1の電極上に、前記所定傾斜方向に直交する方向に延在するように形成されたカットアウトパターンよりなり、前記第２の構造物は、前記第２の電極上に、前記カットアウトパターンに平行に形成された凸パターンよりなることを特徴とする付記１５記載のテレビジョン受像機。
【０１００】
（付記１７）
前記第１の構造物は前記第１の分子配向層および第１の高分子層により覆われ、前記第２の構造物は前記第２の分子配向層および第２の高分子層により覆われることを特徴とする請求項１６記載のテレビジョン受像機。
【０１０１】
（付記１８）
前記第１の電極には、前記所定傾斜方向に延在する複数のカットアウトパターンが、互いに平行に繰り返し形成されていることを特徴とする付記１４記載のテレビジョン受像機。
【０１０２】
（付記１９）
前記第１および第２の高分子層は、液晶骨格を有する光硬化性樹脂組成物を光硬化させて形成した高分子層よりなることを特徴とする請求項１４〜１８のうち、いずれか一項記載のテレビジョン受像機。
【０１０３】
（付記２０）
前記画素電極は、前記第１の基板上の活性素子に接続された第１の画素電極と、前記活性素子に容量結合した、第２の、浮遊画素電極とよりなることを特徴とする付記１３〜１９のうち、いずれか一項記載の液晶表示装置。
【０１０４】
（付記２１）
前記制御回路は、前フレームの画素データと現フレームの画素データとから、前記現フレームの駆動電圧信号の大きさを決定することを特徴とする請求項１３〜２０のうち、いずれか一項記載のテレビジョン受像機。
【０１０５】
（付記２２）
前記制御回路は、表示画像の階調が第１の状態から第２の状態に変化する場合に、前記第１の状態の最後のフレームの画像データと前記第２の状態の最初の画像データを、それぞれ前記前フレームの画像データおよび現フレームの画像データとして使い、前記現フレームの駆動電圧信号の大きさを決定することを特徴とする請求項２０記載のテレビジョン受像機。
【０１０６】
（付記２３）
前記制御回路は、前記駆動電圧信号の大きさを、前記前フレームの画像データおよび現フレームの画像データを元に、変換表を参照して決定することを特徴とする請求項２１または２２記載のテレビジョン受像機。
【０１０７】
（付記２４）
前記第１の基板上には前記第２の電極が複数個、画素電極として、行列状に配列されており、
前記液晶表示装置の一方の側には光源装置が配設されており、
前記光源装置は前記液晶パネル中の、各々が複数の画素電極を含む複数の領域の一つを、１フレームの期間内に順次照明することを特徴とする付記１４〜２３のうち、いずれか一項記載のテレビジョン受像機。
【図面の簡単な説明】
【０１０８】
【図１】ＭＶＡ型液晶表示装置の原理を説明する図である。
【図２】関連技術によるＭＶＡ型液晶表示装置の構成を示す図である。
【図３】（Ａ），（Ｂ）は、図２のＭＶＡ型液晶表示装置の構成を示す図である。
【図４】図２のＭＶＡ型液晶表示装置の画素構成を示す図である。
【図５】図２のＭＶＡ型液晶表示装置の課題を説明する図である。
【図６】図２のＭＶＡ型液晶表示装置の課題を説明する別の図である。
【図７】本発明の第１実施例による液晶表示装置の構成を示す図である。
【図８】図７の液晶表示装置の構成を示す別の図である。
【図９】（Ａ），（Ｂ）は、図７の液晶表示装置の構成を示すさらに別の図である。
【図１０】図７の液晶表示装置で使われる画素構成を示す図である。
【図１１】図７の液晶表示装置の製造工程を示す図である。
【図１２】図７の液所表示装置のオーバードライブ駆動を説明する図である。
【図１３】本発明の効果を説明する図である。
【図１４】図７の液晶表示装置で使われる駆動回路の構成を示す図である。
【図１５】（Ａ），（Ｂ）は、図７の液晶表示装置で使われるバックライト制御を説明する図である。
【図１６】本発明の第２実施例による画素構成を示す図である。
【図１７】（Ａ），（Ｂ）は、本発明の第３実施例による液晶表示装置の構成を示す図である。
【図１８】本発明の第４実施例によるテレビジョン受像機の構成を示す図である。
【符号の説明】
【０１０９】
１０，３０，４０，８０  液晶表示装置
１１Ａ，１１Ｂ、３１Ａ，３１Ｂ、５１Ａ，５１Ｂ  ガラス基板
１２，３１，５１  液晶層
１３Ａ，１３Ｂ、３４Ａ，３６Ａ，６４Ａ  液晶分子配向構造物
３１Ｃ，５１Ｃ  シール
３１ａ，３１ｂ，５１ａ，５１ｂ  偏光板
３２，５２  走査電極
３３，５３  データ電極
３２Ａ，３３Ａ，５２Ａ，５３Ａ  電極パッド
３４，５４，６４，８４Ａ，８４Ｂ  画素電極
３４Ｃ，５４Ｃ  補助容量電極
３５，３７，５５，５７  分子配向層
３６，５６  対向電極
５０  液晶表示パネル
５１Ｌ  液晶分子
５１Ｍ  
５５ａ，５７ａ  高分子層
６０  バックライト
６０Ａ〜６０Ｄ  導光板
６０ａ〜６０ｄ  散乱板
６１Ａ〜６１Ｄ  光源
６２  拡散板
７０  駆動回路
８１  導体パターン
８２〜８４  層間絶縁膜
９０  テレビジョン受像機
９１  高周波増幅器
９２  チューナ
９３  中間周波増幅器
９４  検波器
７１２  表示駆動データ生成部
７１４  タイミングコントローラ
７１６  ゲートドライバ
７１８  ソースドライバ
７２０  フレームメモリ
７２３  変換テーブル
７２４  温度船さ
【図１】
2005338199.tif 000003
【図２】
2005338199.tif 000004
【図３】
2005338199.tif 000005
【図４】
2005338199.tif 000006
【図５】
2005338199.tif 000007
【図６】
2005338199.tif 000008
【図７】
2005338199.tif 000009
【図８】
2005338199.tif 000010
【図９】
2005338199.tif 000011
【図１０】
2005338199.tif 000012
【図１１】
2005338199.tif 000013
【図１２】
2005338199.tif 000014
【図１３】
2005338199.tif 000015
【図１４】
2005338199.tif 000016
【図１５】
2005338199.tif 000017
【図１６】
2005338199.tif 000018
【図１７】
2005338199.tif 000019
【図１８】
2005338199.tif 000020